Podtech/llm-jp-corpus-v4-ja_patent huggingface dataset:
【誤訳訂正書】
【提出日】令和3年8月19日(2021.8.19)
【誤訳訂正１】
【訂正対象書類名】明細書
【訂正対象項目名】００２７
【訂正方法】変更
【訂正の内容】
【００２７】
一実施形態において、本発明の抗体分子は、組換えＴＧＦ−ベータ１、ＴＧＦ−ベータ２又はＴＧＦ−ベータ３のＨＥＫ−ＢｌｕｅＴＧＦ−ベータレポーター遺伝子アッセイにおいて、阻害活性を有し、ここで、該抗体は、ヒトＴＧＦ−ベータ１の活性を、０．５ｎＭ又は０．５ｎＭより良好なＩＣ５０で阻害し、ヒトＴＧＦ−ベータ２の活性を、０．０５ｎＭ又は０．０５ｎＭより良好なＩＣ５０で阻害し、及びヒトＴＧＦ−ベータ３の活性を、２ｎＭ又は２ｎＭより良好なＩＣ５０で阻害する。一実施形態において、該抗体は、内因性ＴＧＦ−ベータのＨＥＫ−ＢｌｕｅＴＧＦ−ベータレポーター遺伝子アッセイにおいて、ＴＧＦ−ベータを、１０ｎＭ又は１０ｎＭより良好なＩＣ５０で阻害する。
【誤訳訂正２】
【訂正対象書類名】明細書
【訂正対象項目名】００２８
【訂正方法】変更
【訂正の内容】
【００２８】
本発明の抗体分子は、高い結合親和性を有することが適切である。親和性は、表面プラズモン共鳴などの技法を含む当技術分野で公知の任意の適切な方法、例えばＢｉａｃｏｒｅを使用して、本明細書中の実施例に記載されているように、単離された天然の又は組換えのＴＧＦ−ベータ１、ＴＧＦ−ベータ２及びＴＧＦ−ベータ３又は適切な融合タンパク質／ポリペプチドを使用して測定することができる。一実施形態において、本発明の抗体分子は、以下のオーダーの結合親和性、ヒトＴＧＦ−ベータ１に対して最も高い、ヒトＴＧＦ−ベータ２がそれに続き、及びヒトＴＧＦ−ベータ３に対して最も低い結合親和性を有する。一実施形態において、本発明の抗体分子は、ヒトＴＧＦ−ベータ１に対して、ヒトＴＧＦ−ベータ３に対する結合親和性より１０から３０倍、例えば１５から２５倍高い結合親和性を有する。一実施形態において、本発明の抗体分子は、ヒトＴＧＦ−ベータ２に対して、ヒトＴＧＦ−ベータ３に対する結合親和性より２から２０倍、例えば５から１５倍高い結合親和性を有する。
【誤訳訂正３】
【訂正対象書類名】明細書
【訂正対象項目名】００２９
【訂正方法】変更
【訂正の内容】
【００２９】
適切には、本発明の抗体分子は、単離されたヒトＴＧＦ−ベータ１、ＴＧＦ−ベータ２及びＴＧＦ−ベータ３に対して、約２０００ｐＭ又は２０００ｐＭ未満の結合親和性を有する。一実施形態において、本発明の抗体分子は、ヒトＴＧＦ−ベータ１に対して、５００ｐＭ以下、例えば２００ｐＭ以下、或いは１００ｐＭ以下の結合親和性を有する。一実施形態において、本発明の抗体分子は、ヒトＴＧＦ−ベータ２に対して、５００ｐＭ以下、例えば、３００ｐＭ以下、２００ｐＭ以下の結合親和性を有する。一実施形態において、本発明の抗体分子は、ヒトＴＧＦ−ベータ３に対して、３０００ｐＭ以下、例えば、２５００ｐＭ以下、２０００ｐＭ以下の結合親和性を有する。
【誤訳訂正４】
【訂正対象書類名】明細書
【訂正対象項目名】００３０
【訂正方法】変更
【訂正の内容】
【００３０】
一実施形態において、本発明の抗体は、ヒトＴＧＦ−ベータ１に対して１００ｐＭ以下の結合親和性、ヒトＴＧＦ−ベータ２に対して２００ｐＭ以下の結合親和性、及びヒトＴＧＦ−ベータ３に対して２０００ｐＭ又は２０００ｐＭより良好な結合親和性を有する。
【誤訳訂正書】
【提出日】令和3年7月5日(2021.7.5)
【誤訳訂正１】
【訂正対象書類名】明細書
【訂正対象項目名】００３５
【訂正方法】変更
【訂正の内容】
【００３５】
最後に、本発明によるＰＶデバイスのさらなる設計特徴は、複数の交互配置されたかみ合い型の上部接点および下部接点を含むということである。従来のＧａＡｓ  ＰＶデバイスでは、ｐ型接点は通常アニールされず、ｎ型接点は、金属被覆により半導体を合金にし、光生成キャリアを抽出するようにオーム接触を生成するために、アニールを必要とする可能性がある。こうした従来のデバイスでは、背面がアニールされたｎ型接点である場合であっても、背面は完全金属被覆を有する。しかしながら、本発明による超薄型電池において完全被覆背面接点をアニールすると、金属はデバイスの活性接合領域内に拡散し、ダイオード性能を深刻に劣化させる。
【誤訳訂正２】
【訂正対象書類名】明細書
【訂正対象項目名】００３６
【訂正方法】変更
【訂正の内容】
【００３６】
本発明によるＰＶデバイス設計はこの問題を解決する。金属粒子を金属接点から接合部内に拡散させることなく、アニールされた背面接点を達成するために、図３に示すように、複数のチャネルが、正面から高ドープ背面制御層までエッチングされ、その後、金属が堆積しアニールされて、チャネル内に複数の下部接点３０４ａ／ｂ／ｃが形成され、それらは上部接点３０３ａ／ｂ／ｃとかみ合うように配置される。本発明のＰＶデバイス設計のこの態様により、電池と散乱ハンドルとの間に配置された背面デバイス金属被覆も不要となる。このように、背面接点コンダクタンス要件によって課される制約なしに、ハンドルの係数を選択することにより、ＰＶ素子と蛍光体が埋め込まれたハンドル３０５との間の効率的な光結合を設計することができる。
【誤訳訂正３】
【訂正対象書類名】特許請求の範囲
【訂正対象項目名】全文
【訂正方法】変更
【訂正の内容】
【特許請求の範囲】
【請求項１】
光起電力（ＰＶ）デバイスであって、
残光蛍光体が埋め込まれかつ光散乱背面を有するハンドルに実装されたＰＶ吸収体を備えるＰＶ素子、および
前記ＰＶ素子の正面に複数の上部および下部のかみ合い型電気接点を備え、
前記ＰＶデバイスに入射した少なくとも一部の光子が、前記ＰＶ素子によって電荷キャリアに変換され、
前記ＰＶ吸収体の厚さが、前記ＰＶデバイスに入射した第１の複数の光子が前記ＰＶ吸収体で吸収され、かつ前記ＰＶデバイスに入射した第２の複数の光子が前記ハンドル内の前記蛍光体まで透過するように構成されており、第１の複数の光子は直ちに前記ＰＶ素子によって電荷キャリアに変換され、かつ第２の複数の光子の少なくとも一部は、電荷キャリアに変換するために長期間かけて前記ＰＶ吸収体に戻るよう放出され、前記ハンドルの前記光散乱背面は、前記ＰＶ吸収体の正面で全内部反射される角度モードで、放射された光子の少なくとも一部を前記ＰＶ吸収体に入射させて、前記ＰＶ素子による電荷キャリアへの変換のために追加の光子を提供するように構成されており、および
電荷キャリアの大部分が、前記ＰＶ吸収体の欠陥サイトに拡散する前に、前記上部および下部の電気接点によって抽出されるように、前記ＰＶ素子の厚さが、電荷キャリアの拡散長が前記ＰＶデバイスの厚さよりも大きくなるように構成されている、ＰＶデバイス。
【請求項２】
前記ＰＶ吸収体が、３００ｎｍ以下の厚さを有するＩＩＩ−Ｖ半導体材料を含む、請求項１に記載のＰＶデバイス。
【請求項３】
前記ＰＶ吸収体がＧａＡｓを含む、請求項１に記載のＰＶデバイス。
【請求項４】
前記ＰＶ吸収体がＩｎＰを含む、請求項１に記載のＰＶデバイス。
【請求項５】
前記ＰＶ吸収体が、２μｍ以下の厚さを有するシリコン（Ｓｉ）を含む、請求項１に記載のＰＶデバイス。
【請求項６】
前記蛍光体が埋め込まれたハンドルの前記光散乱背面が均等拡散面反射体を含む、請求項１に記載のＰＶデバイス。
【請求項７】
前記蛍光体が埋め込まれたハンドルの前記光散乱背面が、０．１ｎｍ〜１ｎｍの二乗平均粗さを有する均等拡散面反射体を含む、請求項１に記載のＰＶデバイス。
【請求項８】
前記蛍光体が埋め込まれたハンドルの前記光散乱背面が光散乱光子構造を含む、請求項１に記載のＰＶデバイス。
【請求項９】
前記ハンドルが可撓性膜を備える、請求項１に記載のＰＶデバイス。
【請求項１０】
前記電気接点が、交互配置された上部および下部のかみ合い型電気接点であり、
前記下部の電気接点が、前記ＰＶ吸収体のチャネル内に形成されている、請求項１に記載のＰＶデバイス。
【誤訳訂正書】
【提出日】令和3年9月15日(2021.9.15)
【誤訳訂正１】
【訂正対象書類名】明細書
【訂正対象項目名】００５４
【訂正方法】変更
【訂正の内容】
【００５４】
−ファイル／エンティティ２：たとえば在庫チェック中に、電子価格ラベルに送信される複数の新しい価格に関する情報を含む。複数の価格は、決定され、たとえば、価格最適化プログラム、ＰＯＳ、および／または電子価格ラベルシステムから送信することができる。
【誤訳訂正２】
【訂正対象書類名】明細書
【訂正対象項目名】００５５
【訂正方法】変更
【訂正の内容】
【００５５】
−ファイル／エンティティ３：たとえば在庫チェック中に受信された、電子価格ラベルからの新しく承認された複数の価格に関する情報を含む。電子価格ラベルに転送された複数の新しい価格は価格ラベルに保存される。店舗が開いている間も、在庫チェックおよび／またはプロセスの転送を実行することができる。電子価格ラベルは、新しい価格を受信した場合でも、どのディスプレイ上に古い価格を表示することができ、表示価格を変更するように電子ラベルシステムから命令を受信すると、表示価格を新しい価格に変更することができる。命令は、システムのすべての電子ラベルにブロードキャストすることができ、次いで、すべての電子ラベルは、本質的に同時に表示価格を変更することができる。
【誤訳訂正書】
【提出日】令和3年10月20日(2021.10.20)
【誤訳訂正１】
【訂正対象書類名】明細書
【訂正対象項目名】００３６
【訂正方法】変更
【訂正の内容】
【００３６】
本明細書のいくつかの実施形態の組成物、方法、およびオリゴヌクレオチドのオリゴヌクレオチド種は、本明細書に記載されるようにバーコード領域とユニフォーム領域とを含みうる。バーコード領域は、ユニークオリゴヌクレオチド種集団の多様性を提供するためにユニークオリゴヌクレオチド種間で異なりうるのに対し、ユニフォーム領域は同じままである。バーコード領域は、本明細書に記載されるように分子インデックスを含みうる。分子インデックスは、たとえば、ユニークオリゴヌクレオチド種集団中のユニークオリゴヌクレオチド種が５０％超のＧ含有率の分子インデックスを持たないようにおよび／または配列「ＧＧ」が分子インデックス中に現われないように（たとえば、２個の連続したＧが存在しないように）Ｇ含有率を最小限に抑えることにより、バイアスを最小限に抑えるように構成可能である。任意選択的に、バーコード領域はサンプルインデックスを含む。サンプルインデックスは、所与のプールのユニークオリゴヌクレオチドのサンプルインデックスは同一でありうるが分子インデックスは異なりうるように構成可能である。このため、複数のサンプルを分析する場合、サンプルインデックスは、各オリゴヌクレオチドがどのサンプルに対応するかを表すことが可能である。このため、ユニークオリゴヌクレオチド種が標的に結合した後、ユニークオリゴヌクレオチド種をプール可能であるとともに配列を分析可能である。いくつかの実施形態では、サンプルインデックスは分子インデックスの５’側にある。いくつかの実施形態では、分子インデックスはサンプルインデックスの５’側にある。任意選択的に、ユニークオリゴヌクレオチド種はアダプターを含む。アダプターは、バーコード領域の５’側に位置決め可能である。いくつかの実施形態では、アダプターは、ユニークオリゴヌクレオチド種を基材に固定するように構成される。
【誤訳訂正書】
【提出日】令和3年3月23日(2021.3.23)
【誤訳訂正１】
【訂正対象書類名】明細書
【訂正対象項目名】００１７
【訂正方法】変更
【訂正の内容】
【００１７】
本発明の更に好ましい実施例によれば、前記負極端子及び正極端子及び圧力センサ手段は保護回路に電気的に結合され、該保護回路は接続手段によって前記プロセッサユニット及び／又はスクリーンに接続され、電力及びデータが前記保護回路から前記プロセッサユニット及び／又はスクリーンへの前記接続手段によって伝送される。この実施例は、電力供給がスクリーンに加えられる圧力に依存して管理され得るので、非常に有利である。好ましくは、或る危険圧力値が予め規定され、データ記憶手段内に記憶され、前記プロセッサユニットは、前記判定した圧力値が前記危険圧力値の上である場合、安全処理、特に電力出力を減少すること、を行う。こうして、装置が破損されるような場合であっても、出火の危険性を減少するために、電力供給が停止され得る。好ましくは、前記危険圧力値は、いずれかの命令及び／又は各動作の処理ルーチンを選択するために必要な平均的圧力値の少なくとも２倍以上であり、前記プロセッサユニットによって実行可能な全ての各動作が圧力値によって選択可能であり、該各動作を選択するためのすべての圧力値が所定の圧力値範囲内である。こうして、安全のためにバッテリ内部において圧力センサを使用しうるが、そればかりではない。例えば、過充電、回路の短絡又は漏電の問題が生じたとき、前記圧力センサ手段がバッテリを安全に保つ。同じ圧力センサ手段が異なる機能のために使用され得る。（通常動作の間に）スクリーン全体にわたって測定された圧力値とバッテリが危険状態になったときの圧力値とは、かなり異なる。ハードウェアの閾値を設定することが可能であり、そこで、前記圧力センサ手段は、また、別の目的のために使用され得る。該圧力センサ及び圧力センサ手段は、ピエゾ電子的、磁歪的、静電容量的、電子機械的又はＭＥＭＳ（micro electro mechanical systems: 微小電気機械システム）に基づくものであり得る。該圧力センサ及び圧力センサ手段は、好ましくは、アナログ出力を提供し得るものであり、ＭＣＵ（マイクロコンピュータユニット）のＡＤＣ（アナログ−デジタル変換器）はアナログ値を読み取って変換し、若しくは、ＭＣＵに直接的に伝送されるＩ２Ｃのようなデジタル出力を提供し得る。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
式１のステモスピロニン塩。
【化１】
2020536951.tif 000001
（式１中、ＨＸは、塩化水素、臭化水素、Ｌ−酒石酸、Ｄ−酒石酸、硫酸、（＋）−（１Ｓ）−１０−カンファースルホン酸、エタンスルホン酸、及び、エタン−１，２−ジスルホン酸からなる群より選択される。）
【請求項２】
結晶形態である請求項１に記載の塩。
【請求項３】
ＨＸが塩化水素であり、少なくとも以下の２θ反射位置を有するＸ線粉末回折パターンを示す多形の形態Ｉの形態である、請求項２に記載の塩。
2020536951.tif 000002
【請求項４】
ＨＸが塩化水素であり、少なくとも以下の２θ反射位置を有するＸ線粉末回折パターンを示す多形の形態ＩＩの形態である、請求項２に記載の塩。
2020536951.tif 000003
【請求項５】
ＨＸが臭化水素であり、少なくとも以下の２θ反射位置を有するＸ線粉末回折パターンを示す、請求項２に記載の塩。
2020536951.tif 000004
【請求項６】
ＨＸがＬ−酒石酸であり、少なくとも以下の２θ反射位置を有するＸ線粉末回折パターンを示す、請求項２に記載の塩。
2020536951.tif 000005
【請求項７】
ＨＸがＤ−酒石酸であり、少なくとも以下の２θ反射位置を有するＸ線粉末回折パターンを示す、請求項２に記載の塩。
2020536951.tif 000006
【請求項８】
ＨＸが硫酸であり、少なくとも以下の２θ反射位置を有するＸ線粉末回折パターンを示す、請求項２に記載の塩。
2020536951.tif 000007
【請求項９】
ＨＸが（＋）−（１Ｓ）−１０−カンファースルホン酸であり、少なくとも以下の２θ反射位置を有するＸ線粉末回折パターンを示す、請求項２に記載の塩。
2020536951.tif 000008
【請求項１０】
ＨＸがエタンスルホン酸であり、少なくとも以下の２θ反射位置を有するＸ線粉末回折パターンを示す、請求項２に記載の塩。
2020536951.tif 000009
【請求項１１】
ＨＸが１，２−エタンジスルホン酸であり、少なくとも以下の２θ反射位置を有するＸ線粉末回折パターンを示す、請求項２に記載の塩。
2020536951.tif 000010
【請求項１２】
少なくとも以下の２θ反射位置を有するＸ線粉末回折パターンを示す、ステモスピロニンのフリーベースである式２の化合物の結晶形態。
【化２】
2020536951.tif 000011
2020536951.tif 000012
【請求項１３】
１種以上の請求項１に記載の化合物、及び、薬学的に受容可能な担体を含有する薬学的組成物。
【請求項１４】
咳を抑制するための経口組成物である請求項１３に記載の薬学的組成物。
【請求項１５】
ステモスピロニン、式２の化合物、及び、酸ＨＸから、結晶性の式１のステモスピロニン塩を調製する方法であって、以下：
Ａ）  式２の化合物、ステモスピロニンを、適切な第一の溶媒に溶解させて溶液Ａを得ること、
Ｂ）  必要に応じて適切な第二の溶媒に溶解させた酸ＨＸを溶液Ａに添加して反応混合物を形成すること、
Ｃ）  必要に応じて第三の溶媒を添加して式１の塩を沈殿させること、及び
Ｄ）  得られた固体、すなわち、式１の化合物を、前記反応混合物から分離すること
を含む方法。
【化３】
2020536951.tif 000013
【化４】
2020536951.tif 000014
（式１中、ＨＸは、塩化水素、臭化水素、Ｌ−酒石酸、Ｄ−酒石酸、硫酸、（＋）−（１Ｓ）−１０−カンファースルホン酸、エタンスルホン酸、及び、エタン−１，２−ジスルホン酸からなる群より選択される。）
【請求項１６】
前記第一の溶媒及び第二の溶媒が、水、メタノール、エタノール、イソプロパノール、ジクロロメタン、酢酸エチル、及び、アセトニトリルからなる群より独立して選択される、請求項１５に記載の方法。
【請求項１７】
前記第三の溶媒が、メチル−ｔｅｒｔ−ブチルエーテル、ヘプタン、及び、ヘキサンからなる群より選択される、請求項１５に記載の方法。
【請求項１８】
請求項４に記載の結晶性のステモスピロニン塩酸塩の多形の形態ＩＩを調製する方法であって、以下：
Ａ）  請求項３に記載の結晶性のステモスピロニン塩酸塩の多形の形態Ｉを、５０℃でアセトニトリル中に溶解させること、
Ｂ）  前記アセトニトリル溶液を５０℃でエバポレートすること、
Ｃ）  結晶性のステモスピロニン塩酸塩の多形の形態ＩＩを回収すること、及び
Ｄ）  前記ステモスピロニン塩酸塩の多形の形態ＩＩを乾燥させること
を含む方法。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
対象内の膠芽細胞腫又は再発性膠芽細胞腫を処理するために使用される１つ又は複数のｕｌＲＦＥ信号。
【請求項２】
前記１つ又は複数のｕｌＲＦＥ信号は、Ｎａｔｉｖｉｓ  Ｖｏｙａｇｅｒシステムを用いて施される、請求項１に記載の１つ又は複数のｕｌＲＦＥ信号。
【請求項３】
前記対象に、化学療法又は抗脈管形成療法又は他のがん治療を施す、請求項１又は請求項２に記載の１つ又は複数のｕｌＲＦＥ信号。
【請求項４】
前記抗脈管形成療法は、アバスチンである、請求項３に記載の１つ又は複数のｕｌＲＦＥ信号。
【請求項５】
前記化学療法は、テモゾロマイドである、請求項３に記載の１つ又は複数のｕｌＲＦＥ信号。
【請求項６】
前記１つ又は複数のｕｌＲＦＥ信号の各々は、有糸分裂阻害剤又はｓｉＲＮＡ分子に由来する、請求項１から５までのいずれか一項に記載の１つ又は複数のｕｌＲＦＥ信号。
【請求項７】
前記有糸分裂阻害剤は、タキサン誘導体であり、前記ｓｉＲＮＡ分子は、ＣＴＬＡ−４又はＰＤ−１を標的とするｓｉＲＮＡ分子である、請求項６に記載の１つ又は複数のｕｌＲＦＥ信号。
【請求項８】
前記タキサン誘導体は、タクソール又はパクリタキセルである、請求項７に記載の１つ又は複数のｕｌＲＦＥ信号。
【請求項９】
１つ又は複数のｕｌＲＦＥ信号を、膠芽細胞腫又は再発性膠芽細胞腫を有する対象に施すシステムの使用であって、前記システムは、Ｅｍｕｌａｔｅ  Ｖｏｙａｇｅｒシステムである、使用。
【請求項１０】
前記対象は、化学療法又は抗脈管形成療法又は他のがん治療によっても治療される、請求項９に記載の使用。
【請求項１１】
前記化学療法は、テモゾロマイドである、請求項９又は請求項１０に記載の使用。
【請求項１２】
前記対象は、前記１つ又は複数のｕｌＲＦＥ信号が施される前にテモゾロマイドで施されたか、前記１つ又は複数のｕｌＲＦＥ信号が施されている間に、テモゾロマイドにより治療されるか、又は、前記１つ又は複数のｕｌＲＦＥ信号が施された後に、テモゾロマイドにより治療されることになる、請求項９から１１までのいずれか一項に記載の使用。
【請求項１３】
前記対象は、前記１つ又は複数のｕｌＲＦＥ信号を施した後に、重篤な有害事象を示さない、請求項９から１２までのいずれか一項に記載の使用。
【請求項１４】
前記１つ又は複数のｕｌＲＦＥ信号の各々は、有糸分裂阻害剤又はｓｉＲＮＡ分子に由来する、請求項９から１２までのいずれか一項に記載の使用。
【請求項１５】
前記有糸分裂阻害剤は、タキサン誘導体である、請求項１４に記載の使用。
【請求項１６】
前記タキサン誘導体は、タクソール又はパクリタキセルである、請求項１５に記載の使用。
【請求項１７】
前記ｓｉＲＮＡ分子は、ＣＴＬＡ−４又はＰＤ−１を標的とするｓｉＲＮＡ分子である、請求項１４に記載の使用。
【請求項１８】
請求項１から８のいずれかに記載の信号を施す又は請求項９から１７までのいずれかに記載の使用を実行する、デバイス、システム、及び／又はキット。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
エスシタロプラムゲンチサート塩。
【請求項２】
単離された、請求項１に記載のエスシタロプラムゲンチサート。
【請求項３】
結晶性である、請求項２に記載のエスシタロプラムゲンチサート。
【請求項４】
１２．９、１６．８、１８．３、１９．９、および２１．１度２シータ±０．２度２シータのピークを有するＸＲＰＤパターン、実質的に図１および／もしくは図３に描かれるようなＸＲＰＤパターン、またはその組み合わせのうちの一つ以上から選択されるデータによって特徴付けられる、請求項３に記載の結晶性エスシタロプラムゲンチサート。
【請求項５】
９．２、１０．９、１５．９、２１．６、および２１．９度２シータ±０．２度２シータのピークのうちの少なくとも一つを有するＸＲＰＤパターンによってさらに特徴付けられる、請求項４に記載の結晶性エスシタロプラムゲンチサート。
【請求項６】
１０．０、１２．４、１７．３、２０．０、および２１．３度２シータ±０．２度２シータのピークを有するＸＲＰＤパターン、実質的に図２および／もしくは図４に描かれるようなＸＲＰＤパターン、またはその組み合わせのうちの一つ以上から選択されるデータによって特徴付けられる、請求項３に記載の結晶性エスシタロプラムゲンチサート。
【請求項７】
８．０、９．５、１５．０、１６．４、および２２．２度２シータ±０．２度２シータのピークのうちの少なくとも一つを有するＸＲＰＤパターンによってさらに特徴付けられる、請求項６に記載の結晶性エスシタロプラムゲンチサート。
【請求項８】
請求項１〜７のいずれか一項に記載のエスシタロプラムゲンチサートを含む医薬組成物。
【請求項９】
薬学的に許容可能な賦形剤を含む、請求項８に記載の医薬組成物。
【請求項１０】
非経口投与、好ましくは皮膚注射、皮下注射、筋肉内注射、または静脈注射のための、請求項８または９に記載の医薬組成物。
【請求項１１】
エスシタロプラムゲンチサートを少なくとも一つの薬学的に許容可能な賦形剤と組み合わせることを含む、請求項８または９に記載の前記医薬組成物を調製するためのプロセス。
【請求項１２】
医薬として使用するための、請求項１〜７のいずれか一項に記載のエスシタロプラムゲンチサート。
【請求項１３】
精神神経疾患、好ましくは大うつ病性障害（ＭＤＤ）、または全般性不安障害（ＧＡＤ）の治療に使用するための、請求項１〜７のいずれか一項に記載のエスシタロプラムゲンチサート。
【請求項１４】
請求項１〜７のいずれか一項に記載のエスシタロプラムゲンチサートを調製すること、およびこれをエスシタロプラム塩またはその固体形態に変換することを含む、エスシタロプラム塩またはその固体形態を調製するためのプロセス。
【請求項１５】
アルコール、好ましくはイソプロパノール、またはメタノール中で、エスシタロプラム塩基をゲンチシン酸と混合する工程を含む、請求項１〜７のいずれか一項に記載のエスシタロプラムゲンチサートを製造する方法。
【手続補正書】
【提出日】令和3年10月11日(2021.10.11)
【手続補正１】
【補正対象書類名】明細書
【補正対象項目名】０００６
【補正方法】変更
【補正の内容】
【０００６】
９−ＩＮＧ−４１の新規な固体形態（多形体および溶媒和物を含む）が必要である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００８／０７７１３８号
（非特許文献）
（非特許文献１）  ＩＲＩＮＡ  Ｎ．  ＧＡＩＳＩＮＡ  ＥＴ  ＡＬ：，"Ｆｒｏｍ  ａ  Ｎａｔｕｒａｌ  Ｐｒｏｄｕｃｔ  Ｌｅａｄ  ｔｏ  ｔｈｅ  Ｉｄｅｎｔｉｆｉｃａｔｉｏｎ  ｏｆ  Ｐｏｔｅｎｔ  ａｎｄ  Ｓｅｌｅｃｔｉｖｅ  Ｂｅｎｚｏｆｕｒａｎ−３−ｙｌ−（ｉｎｄｏｌ−３−ｙｌ）ｍａｌｅｉｍｉｄｅｓ  ａｓ  Ｇｌｙｃｏｇｅｎ  Ｓｙｎｔｈａｓｅ  Ｋｉｎａｓｅ  ３［ｂｅｔａ］  Ｉｎｈｉｂｉｔｏｒｓ  Ｔｈａｔ  Ｓｕｐｐｒｅｓｓ  Ｐｒｏｌｉｆｅｒａｔｉｏｎ  ａｎｄ  Ｓｕｒｖｉｖａｌ  ｏｆ  Ｐａｎｃｒｅａｔｉｃ  Ｃａｎｃｅｒ  Ｃｅｌｌｓ"，  ＪＯＵＲＮＡＬ  ＯＦ  ＭＥＤＩＣＩＮＡＬ  ＣＨＥＭＩＳＴＲＹ，  Ｖｏｌ．  ５２，  Ｎｏ．  ７，  ０９  Ａｐｒｉｌ  ２００９  （２００９−０４−０９），  ｐａｇｅ  １８５３−１８６３，  ＸＰ０５５５１６４８３
（非特許文献２）  ＣＡＩＲＡ  ＥＤ  −  ＭＯＮＴＣＨＡＭＰ  ＪＥＡＮ−ＬＵＣ，  "Ｃｒｙｓｔａｌｌｉｎｅ  Ｐｏｌｙｍｏｒｐｈｉｓｍ  ｏｆ  Ｏｒｇａｎｉｃ  Ｃｏｍｐｏｕｎｄｓ"，  ＴＯＰＩＣＳ  ＩＮ  ＣＵＲＲＥＮＴ  ＣＨＥＭＩＳＴＲＹ；  ［ＴＯＰＩＣＳ  ＩＮ  ＣＵＲＲＥＮＴ  ＣＨＥＭＩＳＴＲＹ］，  ＳＰＲＩＮＧＥＲ，  ＢＥＲＬＩＮ，  ＤＥ，Ｖｏｌ．  １９８，  ０１  Ｊａｎｕａｒｙ  １９９８  （１９９８−０１−０１），  ｐａｇｅ  １６３−２０８，  ＸＰ００８１６６２７６
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
水性薬学的組成物であって、
ａ）ビラスチンまたはその薬学的に許容される塩もしくは溶媒和物と、
ｂ）モメタゾン、またはエステル、エーテルおよびケトニド誘導体から選択されるその薬学的に許容される誘導体と、
ｃ）懸濁化剤と、
ｄ）２−ヒドロキシプロピル−β−シクロデキストリンと
を含み、前記水性医薬組成物のｐＨが３．５〜５．５であり、２−ヒドロキシプロピル−β−シクロデキストリンの含有量が８．５重量％未満である、水性薬学的組成物。
【請求項２】
ビラスチンまたはその薬学的に許容される塩もしくは溶媒和物の含有量が、０．２重量％〜０．８重量％である、請求項１に記載の水性医薬組成物。
【請求項３】
前記成分ｂ）がフロ酸モメタゾンである、請求項１または２に記載の水性医薬組成物。
【請求項４】
２−ヒドロキシプロピル−β−シクロデキストリンの含有量が５重量％未満である、請求項１から３のいずれか一項に記載の水性医薬組成物。
【請求項５】
２−ヒドロキシプロピル−β−シクロデキストリンの含有量が１〜５重量％である、請求項１から４のいずれか一項に記載の水性医薬組成物。
【請求項６】
前記水性医薬組成物のｐＨが４．０〜５．０、好ましくは４．３〜４．９である、請求項１から５のいずれか一項に記載の水性医薬組成物。
【請求項７】
前記懸濁化剤が、セルロースおよび／または、セルロースのヒドロキシル基が部分的または完全に置換されたセルロースエーテルを提供するセルロースエーテル誘導体から選択されたセルロース誘導体から選択される、請求項１から６のいずれか一項に記載の水性医薬組成物。
【請求項８】
請求項１から７のいずれか一項に記載の水性医薬組成物を調製する方法であって、
ａ）２−ヒドロキシプロピル−β−シクロデキストリンの水溶液を調製する工程であって、２−ヒドロキシプロピル−β−シクロデキストリンの含有量が８．５重量％未満である工程と、
ｂ）ビラスチンまたはその薬学的に許容される塩もしくは溶媒和物を、工程ａ）の前記水溶液に添加し、緩衝剤を添加して３．５〜５．５のｐＨを有するビラスチン水溶液を得る工程と、
ｃ）界面活性剤を含むモメタゾン、またはエステル、エーテルおよびケトニド誘導体から選択されるその薬学的に許容される誘導体の精製水分散液を調製する工程と、
ｄ）懸濁化剤の水性懸濁液を調製する工程と、
ｅ）工程ｂ）の前記水溶液を工程ｄ）の前記水性懸濁液に添加し、続いて工程ｃ）の前記モメタゾン分散液を添加し、撹拌下で前記混合物を均質化し、必要に応じて緩衝剤を添加して、３．５〜５．５のｐＨを得る工程と
を含む、方法。
【請求項９】
緩衝剤を、工程ａ）および／またはｂ）の前記水溶液に添加することをさらに含む、請求項８に記載の方法。
【請求項１０】
２−ヒドロキシプロピル−β−シクロデキストリンの前記水溶液が、２−ヒドロキシプロピル−β−シクロデキストリンの含有量は５重量％未満である水溶液である、請求項８に記載の方法。
【請求項１１】
鼻炎、結膜炎および鼻結膜炎から選択されるアレルギー性障害または疾患の治療および／または予防のための、請求項１から７のいずれか一項に記載の水性医薬組成物。
【請求項１２】
喘息、アレルギー性鼻炎および非アレルギー性鼻炎、非悪性増殖性疾患または炎症性疾患の治療および／または予防のための、請求項１から７のいずれか一項に記載の水性医薬組成物。
【請求項１３】
前記水性医薬組成物が鼻腔内に投与される、請求項１１または１２に記載の水性医薬組成物。
【請求項１４】
請求項１から７のいずれか一項に記載の水性医薬組成物を含む、鼻噴霧器。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
硬化性組成物であって、
ポリアミドを含むポリアミド組成物であって、前記ポリアミドが、その主鎖に三級アミドを含み、かつアミン末端化されている、ポリアミド組成物と、
エポキシ樹脂を含むエポキシ組成物と
を含む硬化性組成物。
【請求項２】
三級アミドが、前記ポリアミド主鎖に存在する総アミド含量に基づいて、少なくとも５０モル％の量で前記ポリアミド中に存在する、請求項１に記載の硬化性組成物。
【請求項３】
前記硬化性組成物の総体積に基づいて、少なくとも２０体積％の量で存在する無機充填剤を更に含む、請求項２に記載の硬化性組成物。
【請求項４】
前記ポリアミド組成物が、第２のポリアミドを更に含み、前記第２のポリアミドが、多官能性ポリアミドアミンを含む、請求項３に記載の硬化性組成物。
【請求項５】
硬化性組成物であって、
（ｉ）二塩基酸と、
（ｉｉ）二級ジアミン又は二級／一級ハイブリッドジアミンを含むジアミンと
の反応生成物を含む第１のポリアミド成分であり、その主鎖に三級アミドを含み、かつアミン末端化されている、第１のポリアミド成分と、
第２のポリアミド成分と
を含むポリアミド組成物と、
エポキシ樹脂を含むエポキシ組成物と
を含む硬化性組成物。
【請求項６】
前記第１のポリアミド成分中のジアミンの二塩基酸に対するモル比が、１．２〜３である、請求項５に記載の硬化性組成物。
【請求項７】
前記ジアミンが、式Ｒ１−ＮＨ−Ｒ２−ＮＨ−Ｒ１を有し、
前記Ｒ２基が、アルキレン、分枝鎖アルキレン、シクロアルキレン、置換若しくは非置換アリーレン、ヘテロアルキレン、又はヘテロシクロアルキレンであり、
（ｉ）各Ｒ１基が、独立して、直鎖若しくは分枝鎖アルキル、シクロアルキル、アリール、ヘテロアルキル、ヘテロアリール、又は水素原子であり、但し、両方のＲ１が水素原子ではないことを条件とし、あるいは
（ｉｉ）前記Ｒ１基が、アルキレン又は分枝鎖アルキレンであり、複素環式化合物を形成する、
請求項５に記載の硬化性組成物。
【請求項８】
前記ジアミンが、ピペラジンを含む、請求項７に記載の硬化性組成物。
【請求項９】
前記第２のポリアミド成分が、多官能性ポリアミドアミンを含む、請求項５に記載の硬化性組成物。
【請求項１０】
前記硬化性組成物の総体積に基づいて、少なくとも２０体積％の量で存在する無機充填剤を更に含む、請求項５に記載の硬化性組成物。
【請求項１１】
ポリアミドと、
エポキシ樹脂と、
前記硬化性組成物の総体積に基づいて、少なくとも２０体積％の量で前記硬化性組成物中に存在する無機充填剤と
を含む硬化性組成物であって、
硬化すると、（ｉ）５．５％，超の破断伸び、及び（ｉｉ）５〜２０Ｎ／ｍｍ２の重なり剪断強度を提供する、硬化性組成物。
【請求項１２】
硬化すると、０．５〜１６Ｎ／ｍｍ２の引張強度を提供する、請求項１１に記載の硬化性組成物。
【請求項１３】
前記ポリアミドが、その主鎖に三級アミドを含み、アミン末端化されている、請求項１１に記載の硬化性組成物。
【請求項１４】
硬化組成物を含む物品であって、前記硬化組成物が、請求項５に記載の硬化性組成物の反応生成物である、物品。
【請求項１５】
請求項５に記載の硬化性組成物の第１の層によって第１のベースプレートに接続された複数のバッテリーセルを含む、バッテリーモジュール。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
少なくとも１つの繊毛病関連の疾患を治療するための医薬組成物であって、ＥＰ１、ＥＰ２、ＥＰ３及びＥＰ４からなる群から選択される少なくとも１つのＧタンパク質共役型受容体（ＧＰＣＲ）のアゴニストを含む、医薬組成物。
【請求項２】
前記繊毛病関連の疾患が、ＮＰＨＰ１遺伝子座のホモ接合型欠失に起因する、請求項１に記載の医薬組成物。
【請求項３】
前記繊毛病関連の疾患が、ＮＰＨＰ１遺伝子座のヘテロ接合型欠失及び第二の遺伝子座でのヘテロ接合型またはホモ接合型機能欠損に起因する、請求項１に記載の医薬組成物。
【請求項４】
前記繊毛病関連の疾患が、ＮＰＨＰ１の１つの対立遺伝子におけるヘテロ接合型欠失及びもう１つの対立遺伝子における機能欠損変異に起因する、請求項１に記載の医薬組成物。
【請求項５】
前記繊毛病関連の疾患が、ＮＰＨＰ１の１つの対立遺伝子における機能欠損変異及びもう１つの対立遺伝子における異なる機能欠損変異に起因する、請求項１に記載の医薬組成物。
【請求項６】
前記少なくとも１つのＧＰＣＲのアゴニストが、プロスタグランジンである、請求項１〜５のいずれか１項に記載の医薬組成物。
【請求項７】
前記少なくとも１つのＧＰＣＲのアゴニストが、プロスタグランジンＥ１（ＰＧＥ１）、プロスタグランジンＥ２（ＰＧＥ２）、１６，１６−ジメチル−ＰＧＥ２（ｄｍＰＧＥ２）、Ｌ９０２，６８８、ＣＰ−５４４３２６、ＡＧＮ−２１  ０６６９、１８ａ、ＡＧＮ−２１  ０９６１、ＥＤ−１  １７、ＣＰ−５３３５３６、及びそれらの組み合わせからなる群から選択される、請求項１〜５のいずれか１項に記載の医薬組成物。
【請求項８】
前記少なくとも１つの繊毛病関連の疾患が、ネフロン癆（ＮＰＨＰ）、Ｓｅｎｉｏｒ−Ｌｏｋｅｎ症候群（ＳＬＳ）、ジュベール症候群（ＪＢＴＳ）及び関連する障害疾患（ＪＳＲＤ）、バルデ・ビードル症候群（ＢＢＳ）、メッケル・グルーバー症候群（ＭＫＳ）、口顔指症候群（ＯＦＤ）、ＮＰＨＰ１機能欠損が引き起こす末期腎疾患、ならびにＮＰＨＰ１、ＮＰＨＰ４、ＮＰＨＰ６／ＣＥＰ２９０対立遺伝子及び他の病原性または機能欠損バリアントに関連する腎臓及び網膜繊毛病からなる群から選択される、請求項１〜７のいずれか１項に記載の医薬組成物。
【請求項９】
前記少なくとも１つのＧＰＣＲのアゴニストが、ＣＰ−５４４３２６であり、前記少なくとも１つのＧＰＣＲが、ＥＰ２である、請求項１〜８のいずれか１項に記載の医薬組成物。
【請求項１０】
前記少なくとも１つのＧＰＣＲのアゴニストの投与量が、１００ｐＭ〜５μＭである、請求項１〜９のいずれか１項に記載の医薬組成物。
【請求項１１】
前記少なくとも１つの繊毛病関連の疾患がネフロン癆である、請求項１〜１０のいずれか１項に記載の医薬組成物。
【請求項１２】
少なくとも１つの繊毛病関連の疾患を治療するための治療薬を特定する方法であって、
（ａ）前記繊毛病関連の疾患の動物または細胞モデルに対して、試験薬を投与することであって、前記動物または細胞モデルは、前記繊毛病関連の疾患の測定可能な表現型を示す、前記投与することと、
（ｂ）前記処理された動物または細胞モデルの前記測定可能な表現型と、未処理の動物または細胞モデルの前記測定可能な表現型を比較することと、
（ｃ）前記処理された動物または細胞モデルの前記測定可能な表現型が、前記未処理の動物または細胞モデルのものと比較して改善された場合、前記試験薬を繊毛病関連の疾患の治療用の治療薬であると特定することとを含む、前記方法。
【請求項１３】
前記動物モデルが、Ｄａｎｉｏ  ｒｅｒｉｏ（ゼブラフィッシュ）である、請求項１２に記載の方法。
【請求項１４】
前記動物モデルが、１つ以上の破壊剤を投与することによって作製される、請求項１３に記載の方法。
【請求項１５】
前記１つ以上の破壊剤が、モルホリノを含む、請求項１４に記載の方法。
【請求項１６】
前記モルホリノが、少なくとも１つのネフロシスチン（ＮＰＨＰ）の発現を阻害する、請求項１５に記載の方法。
【請求項１７】
前記少なくとも１つのＮＰＨＰが、ＮＰＨＰ４である、請求項１６に記載の方法。
【請求項１８】
前記測定可能な表現型が、体表面彎曲、前腎嚢胞、側性心臓欠陥及び排せつ腔拡張からなる群から選択される、請求項１２〜１７のいずれか１項に記載の方法。
【請求項１９】
前記測定可能な表現型が、前腎嚢胞である、請求項１８に記載の方法。
【請求項２０】
前記少なくとも１つの繊毛病関連の疾患が、ネフロン癆（ＮＰＨＰ）、Ｓｅｎｉｏｒ−Ｌｏｋｅｎ症候群（ＳＬＳ）、ジュベール症候群（ＪＢＴＳ）及び関連する障害疾患（ＪＳＲＤ）、バルデ・ビードル症候群（ＢＢＳ）、メッケル・グルーバー症候群（ＭＫＳ）、口顔指症候群（ＯＦＤ）、ＮＰＨＰ１の機能欠損が引き起こす末期腎疾患、ならびにＮＰＨＰ１、ＮＰＨＰ４、ＮＰＨＰ６／ＣＥＰ２９０変異に関連する腎臓及び網膜繊毛病からなる群から選択される、請求項１２〜１７のいずれか１項に記載の方法。
【請求項２１】
前記少なくとも１つの疾患がネフロン癆である、請求項２０に記載の方法。
【請求項２２】
少なくとも１つの繊毛病関連の疾患の治療に使用するための医薬を調製するための、ＥＰ１、ＥＰ２、ＥＰ３及びＥＰ４からなる群から選択される少なくとも１つのＧＰＣＲのアゴニストの使用。
【請求項２３】
前記ＧＰＣＲアゴニストが、プロスタグランジンＥ１（ＰＧＥ１）、プロスタグランジンＥ２（ＰＧＥ２）、１６，１６−ジメチル−ＰＧＥ２（ｄｍＰＧＥ２）、ＣＰ−５４４３２６、Ｌ９０２，６８８、ＡＧＮ−２１  ０６６９、１８ａ、ＡＧＮ−２１  ０９６１、ＥＤ−１  １７、ＣＰ−５３３５３６、及びそれらの組み合わせからなる群から選択される、請求項２２に記載の使用。
【請求項２４】
前記少なくとも１つの繊毛病関連の疾患が、ネフロン癆（ＮＰＨＰ）、Ｓｅｎｉｏｒ−Ｌｏｋｅｎ症候群（ＳＬＳ）、ジュベール症候群（ＪＢＴＳ）及び関連する障害疾患（ＪＳＲＤ）、バルデ・ビードル症候群（ＢＢＳ）、メッケル・グルーバー症候群（ＭＫＳ）、口顔指症候群（ＯＦＤ）、ＮＰＨＰ１の機能欠損が引き起こす末期腎疾患、ならびにＮＰＨＰ１、ＮＰＨＰ４、ＮＰＨＰ６／ＣＥＰ２９０変異に関連する腎臓及び網膜繊毛病からなる群から選択される、請求項２２または２３に記載の使用。
【請求項２５】
前記動物モデルが、ｎｐｈｐ１−／−マウスである、請求項１２に記載の方法。
【請求項２６】
前記測定可能な表現型が、網膜層の厚さを含む、請求項２５に記載の方法。
【請求項２７】
前記少なくとも１つの繊毛病関連の疾患が、ネフロン癆（ＮＰＨＰ）、Ｓｅｎｉｏｒ−Ｌｏｋｅｎ症候群（ＳＬＳ）、ジュベール症候群（ＪＢＴＳ）及び関連する障害疾患（ＪＳＲＤ）、バルデ・ビードル症候群（ＢＢＳ）、メッケル・グルーバー症候群（ＭＫＳ）、口顔指症候群（ＯＦＤ）、ＮＰＨＰ１の機能欠損が引き起こす末期腎疾患、ならびにＮＰＨＰ１、ＮＰＨＰ４、ＮＰＨＰ６／ＣＥＰ２９０変異に関連する腎臓及び網膜繊毛病からなる群から選択される、請求項２５または２６に記載の方法。
【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
ウイルス導入ベクター、免疫抑制剤を含む合成ナノキャリア、および抗ＩｇＭ剤を含む、組成物。
【請求項２】
抗ＩｇＭ剤が、ＣＤ１０、ＣＤ１９、ＣＤ２０、ＣＤ２２、ＣＤ２７、ＣＤ３４、ＣＤ４０、ＣＤ７９ａ、ＣＤ７９ｂ、ＣＤ１２３、ＣＤ１７９ｂ、ＦＬＴ−３、ＲＯＲ１、ＢＲ３、ＢＡＦＦ、またはＢ７ＲＰ−１に特異的に結合する、抗体またはそれらのフラグメント；チロシンキナーゼ阻害剤、例として、ｓｙｋ阻害剤、ＢＴＫ阻害剤、またはＳＲＣタンパク質チロシンキナーゼ阻害剤；ＰＩ３Ｋ阻害剤；ＰＫＣ阻害剤；ＡＰＲＩＬアンタゴニスト；ミゾリビン；トファシチニブ；および、テトラサイクリン、から選択される、請求項１に記載の組成物。
【請求項３】
抗ＩｇＭ剤が、（ａ）抗ＢＡＦＦ抗体またはその抗原結合フラグメントである、または（ｂ）ＢＴＫ阻害剤、例としてイブルチニブである、請求項２に記載の組成物。
【請求項４】
ウイルス導入ベクターが、レトロウイルス導入ベクター、アデノウイルス導入ベクター、レンチウイルス導入ベクターまたはアデノ随伴ウイルス導入ベクターである、請求項１〜３のいずれか一項に記載の組成物。
【請求項５】
ウイルス導入ベクターが、（ａ）アデノウイルス導入ベクターであり、ならびに、アデノウイルス導入ベクターが、サブグループＡ、サブグループＢ、サブグループＣ、サブグループＤ、サブグループＥまたはサブグループＦのアデノウイルス導入ベクターである、（ｂ）レンチウイルス導入ベクターであり、ならびに、レンチウイルス導入ベクターが、ＨＩＶ、ＳＩＶ、ＦＩＶ、ＥＩＡＶまたはヒツジレンチウイルスベクターである、または（ｃ）アデノ随伴ウイルス導入ベクターであり、ならびに、アデノ随伴ウイルス導入ベクターが、ＡＡＶ１、ＡＡＶ２、ＡＡＶ５、ＡＡＶ６、ＡＡＶ６.２、ＡＡＶ７、ＡＡＶ８、ＡＡＶ９、ＡＡＶ１０またはＡＡＶ１１アデノ随伴ウイルス導入ベクターである、請求項４に記載の組成物。
【請求項６】
（ａ）ウイルス導入ベクターが、キメラウイルス導入ベクターである、任意にここで、キメラウイルス導入ベクターが、ＡＡＶアデノウイルス導入ベクターである、（ｂ）ウイルス導入ベクターの導入遺伝子が、遺伝子治療導入遺伝子、遺伝子編集導入遺伝子、エクソンスキッピング導入遺伝子または遺伝子発現調節導入遺伝子を含む、請求項１〜５のいずれか一項に記載の組成物。
【請求項７】
合成ナノキャリアが、脂質ナノ粒子、ポリマーナノ粒子、金属ナノ粒子、界面活性剤ベースのエマルション、デンドリマー、バッキーボール、ナノワイヤー、ウイルス様粒子またはペプチドもしくはタンパク質粒子を含む、請求項１〜６のいずれか一項に記載の組成物。
【請求項８】
合成ナノキャリアが、ポリマーナノ粒子を含む、任意にここで（ａ）非メトキシ末端のプルロニックポリマーではないポリマーを含む、および／または（ｂ）ポリマーナノ粒子が、ポリエステル、ポリエーテルに接着したポリエステル、ポリアミノ酸、ポリカーボネート、ポリアセタール、ポリケタール、多糖、ポリエチルオキサゾリンまたはポリエチレンイミンを含む、たとえばここで、ポリエステルが、ポリ（乳酸）、ポリ（グリコール酸）、ポリ（乳酸−コ−グリコール酸）またはポリカプロラクトンを含む、および／または、ポリマーナノ粒子が、ポリエステルおよびポリエーテルに接着したポリエステルを含む、たとえばここで、ポリエーテルが、ポリエチレングリコールまたはポリプロピレングリコールを含む、請求項７に記載の組成物。
【請求項９】
合成ナノキャリアの集団の動的光散乱を使用して得られた粒子サイズ分布の平均が、（ａ）１１０ｎｍ、１５０ ｎｍ、２００ｎｍ、または２５０ｎｍより大きい、および／または（ｂ）５μｍ、４μｍ、３μｍ、２μｍ、１μｍ、５００ｎｍ、４５０ ｎｍ、４００ ｎｍ、３５０ ｎｍ、３００ ｎｍより小さい直径である、請求項１〜８のいずれか一項に記載の組成物。
【請求項１０】
合成ナノキャリア中に含まれる免疫抑制剤の負荷量が、合成ナノキャリア全体の平均で、（ａ）０．１％と５０％（重量／重量）、（ｂ）０．１％と２５％（重量／重量）、（ｃ）１％と２５％（重量／重量）、（ｄ）２％と２５％（重量／重量）、（ｅ）２％と２０％（重量／重量）、（ｆ）２％と１５％（重量／重量）、または（ｇ）２％と１０％（重量／重量）との間である、請求項１〜９のいずれか一項に記載の組成物。
【請求項１１】
免疫抑制剤が、（ａ）ＮＦ−ｋＢ経路の阻害剤である、または（ｂ）ｍＴＯＲ阻害剤である、または（ｃ）ラパマイシンもしくはラパマイシンアナログである、請求項１〜１０のいずれか一項に記載の組成物。
【請求項１２】
合成ナノキャリアの集団のアスペクト比が、１：１、１：１．２、１：１．５、１：２、１：３、１：５、１：７または１：１０より大きい、請求項１〜１１のいずれか一項に記載の組成物。
【請求項１３】
（ａ）請求項１〜１２のいずれか一項に記載の組成物、および使用のための説明書、または（ｂ）請求項１および４〜６のいずれか一項に記載のウイルス導入ベクター、請求項１、７〜１０、および１２のいずれか一項に記載の合成ナノキャリア、請求項１〜３のいずれか一項に記載の抗ＩｇＭ剤、および使用のための説明書を含む、任意にここで、使用のための説明書が、本明細書に記載の方法のいずれか１つを実行するための説明書を含む、キット。
【請求項１４】
（ａ）対象へのウイルス導入ベクター、免疫抑制剤を含む合成ナノキャリア、および抗ＩｇＭ剤の併用投与によって、対象における抗ウイルス導入ベクター減弱化応答を確立すること、任意にここで、抗ウイルス導入ベクター減弱化応答が、ウイルス導入ベクターに対するＩｇＭ応答である、たとえばここで、抗ウイルス導入ベクター減弱化応答が、更に、ウイルス導入ベクターに対するＩｇＧ応答を含む；または
（ｂ）ウイルス導入ベクター、免疫抑制剤を含む合成ナノキャリア、および抗ＩｇＭ剤を、繰り返し、併用して、対象に投与することによって、対象におけるウイルス導入ベクターの導入遺伝子発現を拡大すること、
を含む方法における使用のための、ウイルス導入ベクター、免疫抑制剤を含む合成ナノキャリア、および抗ＩｇＭ剤。
【請求項１５】
（ａ）ウイルス導入ベクター、免疫抑制剤を含む合成ナノキャリア、および／または抗ＩｇＭ剤の併用投与が、繰り返される、および／または（ｂ）ウイルス導入ベクターが、請求項１、４〜６、１３、および１４のいずれか一項に記載のとおりである、および／または（ｃ）合成ナノキャリアが、請求項１、７〜１０、および１２〜１４のいずれか一項に記載のとおりである、および／または（ｄ）抗ＩｇＭ剤が、請求項１〜３、１３、および１４のいずれか一項に記載のとおりである、および／または（ｅ）併用投与が、同時投与である、および／または（ｆ）ウイルス導入ベクターおよび／または合成ナノキャリアが、静脈内に投与される、および／または（ｇ）抗ＩｇＭ剤が、腹腔内に投与される、請求項１４に記載の使用のための、ウイルス導入ベクター、免疫抑制剤を含む合成ナノキャリア、および／または抗ＩｇＭ剤。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
インターロイキン１１（IL-11）媒介性シグナル伝達を抑制する薬剤を有効成分として含有する、平滑筋細胞（SMC）が病理学的に関与する疾患の治療または予防用医薬品。
【請求項２】
前記疾患が、分泌型平滑筋細胞が病理学的に関与する疾患である、請求項１に記載の医薬品。
【請求項３】
前記疾患が、血管平滑筋細胞（VSMC）が病理学的に関与する疾患である、請求項１または２に記載の医薬品。
【請求項４】
前記薬剤が、IL-11またはIL-11受容体に結合することができる薬剤である、請求項１〜３のいずれか１項に記載の医薬品。
【請求項５】
前記薬剤が、抗体またはその抗原結合断片、ポリペプチド、ペプチド、オリゴヌクレオチド、アプタマーおよび小分子からなる群から選択される、請求項４に記載の医薬品。
【請求項６】
前記薬剤がIL-11のデコイ受容体である、請求項１〜５のいずれか１項に記載の医薬品。
【請求項７】
前記薬剤が、IL-11もしくはIL-11受容体の発現を減少させることができるオリゴヌクレオチドまたは小分子である、請求項１〜３のいずれか１項に記載の医薬品。
【請求項８】
前記疾患が、循環器系、消化器系、排泄器系、呼吸器系、腎臓系または生殖器系の疾患である、請求項１〜７のいずれか１項に記載の医薬品。
【請求項９】
前記疾患が、アテローム性動脈硬化症、高血圧、動脈瘤、マルファン症候群、大動脈瘤、Furlong症候群、シュプリンツェン・ゴールドバーグ症候群、ロイス・ディーツ症候群、家族性胸部大動脈瘤症候群、動脈蛇行症候群、脳動脈瘤、血管の狭窄および再狭窄、アテローム性動脈硬化症、線維筋性異形成症（FMD）、弁上部狭窄症、腎動脈狭窄症、肺動脈高血圧症（PAH）、叢状病変、線維筋性異形成症、毛細血管拡張症、アカラシア、嚥下障害、下痢、便秘、炎症性腸疾患（IBD）、腸狭窄症、幽門狭窄症、セリアック病、過敏性腸症候群、憩室炎、クローン病、潰瘍性大腸炎、腎疾患、巣状分節性糸球体硬化症（FSGS）、IgA腎症、半月体形成性糸球体腎炎、ループス腎炎、糖尿病性腎症（DN）、膀胱疾患、肺疾患、喘息、嚢胞性線維症、慢性閉塞性肺疾患（COPD）、急性呼吸窮迫症候群（ARDS）、全身性硬化症、ハッチンソン・ギルフォード・プロジェリア症候群（HGPS）、平滑筋腫、平滑筋肉腫ならびにヘルマンスキー・パドラック症候群（HPS）からなる群から選択される、請求項１〜８のいずれか１項に記載の医薬品。
【請求項１０】
IL-11またはIL-11受容体の発現がアップレギュレートされている対象に前記医薬品が投与されるように用いられ、任意でIL-11またはIL-11受容体の発現のアップレギュレーションが確認された対象に前記医薬品が投与されるように用いられる、請求項１〜９のいずれか１項に記載の医薬品。
【請求項１１】
対象においてIL-11またはIL-11受容体の発現がアップレギュレートされているのかどうかを判定する工程を含み、IL-11またはIL-11受容体の発現がアップレギュレートされている対象に前記医薬品が投与されるように用いられる、請求項１〜１０のいずれか１項に記載の医薬品。
【請求項１２】
インターロイキン１１（IL-11）媒介性シグナル伝達を抑制する薬剤を有効成分として含有する、平滑筋細胞（SMC）の活性抑制用医薬品。
【請求項１３】
前記平滑筋細胞（SMC）が分泌型平滑筋細胞である、請求項１２に記載の医薬品。
【請求項１４】
前記平滑筋細胞（SMC）が血管平滑筋細胞（VSMC）である、請求項１２または１３に記載の医薬品。
【請求項１５】
前記薬剤が、IL-11もしくはIL-11受容体に結合することができる薬剤、またはIL-11もしくはIL-11受容体の発現を減少させることができる薬剤である、請求項１２〜１４のいずれか１項に記載の医薬品。
【請求項１６】
前記薬剤が、抗体またはその抗原結合断片、ポリペプチド、ペプチド、オリゴヌクレオチド、アプタマーおよび小分子からなる群から選択される、請求項１２〜１５のいずれか１項に記載の医薬品。
【請求項１７】
前記薬剤がIL-11のデコイ受容体である、請求項１２〜１６のいずれか１項に記載の医薬品。
【請求項１８】
前記薬剤が、IL-11もしくはIL-11受容体の発現を減少させることができるオリゴヌクレオチドまたは小分子である、請求項１２〜１４のいずれか１項に記載の医薬品。
【請求項１９】
インターロイキン１１（IL-11）媒介性シグナル伝達を抑制することができる薬剤を用いた、平滑筋細胞（SMC）が病理学的に関与する疾患の治療または予防を行うために、対象を選択する方法であって、対象において、IL-11またはIL-11受容体の発現がアップレギュレートされているのかどうかを（任意にインビトロで）判定する工程を含む方法。
【請求項２０】
対象において、平滑筋細胞（SMC）が病理学的に関与する疾患の診断を補助するか、または該疾患の発症のリスクの診断を補助する方法であって、対象から得られた試料において、インターロイキン１１（IL-11）またはIL-11受容体の発現がアップレギュレートされているのかどうかを（任意にインビトロで）判定する工程を含む方法。
【請求項２１】
平滑筋細胞（SMC）が病理学的に関与する疾患に罹患している疑いがある対象において、該疾患の診断を確定するための方法である、請求項２０に記載の方法。
【請求項２２】
IL-11媒介性シグナル伝達を抑制することができる薬剤を用いた治療を行うために、対象を選択する工程をさらに含む、請求項２０または２１に記載の方法。
【請求項２３】
前記疾患が、分泌型平滑筋細胞が病理学的に関与する疾患である、請求項１９〜２２のいずれか１項に記載の方法。
【請求項２４】
前記疾患が、血管平滑筋細胞（VSMC）が病理学的に関与する疾患である、請求項１９〜２３のいずれか１項に記載の方法。